(57)【特許請求の範囲】
【請求項１】
複数系統の負荷回路のオンオフを系統ごとに制御する負荷切換手段と、操作入力を発生させる操作手段と、操作入力を受けて負荷切換手段においてオンにすべき負荷回路の系統を指示する制御処理部とを備え、制御処理部が、前記操作入力の発生毎に負荷回路のオンオフの組合せである制御パターンを変化させるように負荷切換手段に指示するとともに、前記操作入力により選択可能な制御パターンの種類が負荷回路の系統数以上であり、前記制御処理部により選択可能な制御パターンには、前記操作入力の発生毎に前記負荷回路のオンオフが１系統ずつ変化する制御パターンが前記負荷回路の系統数分含まれていることを特徴とする負荷制御装置。
【請求項２】
前記操作手段が１個の操作スイッチを備え、操作スイッチの操作毎に前記操作入力が発生することを特徴とする請求項１記載の負荷制御装置。
【請求項３】
前記制御処理部が、前記操作入力の発生により全系統の負荷回路をオンにするように負荷切換手段に指示し、その後、操作入力の発生毎に各負荷回路を各１系統のみ順にオンにするように負荷切換手段に指示することを、操作入力の発生毎に循環的に繰り返すことを特徴とする請求項１記載の負荷制御装置。
【請求項４】
前記制御処理部が、前記操作入力の発生により全系統の負荷回路をオンにするように負荷切換手段に指示し、次の操作入力の発生により全系統の負荷回路をオフにするように負荷切換手段に指示し、その後、操作入力の発生毎に各負荷回路を１系統ずつ順にオンにするように負荷切換手段に指示することを、操作入力の発生毎に循環的に繰り返すことを特徴とする請求項１記載の負荷制御装置。
【請求項５】
前記制御処理部が、前記操作入力の発生により全系統の負荷回路をオンにするように負荷切換手段に指示し、その後、操作入力の発生毎に各負荷回路を１系統ずつ順にオフにするように負荷切換手段に指示することを、操作入力の発生毎に循環的に繰り返すことを特徴とする請求項１記載の負荷制御装置。
【請求項６】
前記制御処理部では前記操作入力の発生の時間間隔に閾値が設定され、操作入力の発生の時間間隔が前記閾値に達すると各負荷回路があらかじめ設定されているオンオフの組合せになるように前記負荷切換手段に指示することを特徴とする請求項１ないし請求項５のいずれか１項に記載の負荷制御装置。
【請求項７】
全系統の負荷回路をオフにするように前記制御処理部に指示するオフスイッチを設け、前記制御処理部ではオフスイッチの操作後に最初に前記操作入力が発生したときの制御パターンが規定されていることを特徴とする請求項１ないし請求項６のいずれか１項に記載の負荷制御装置。
【発明の詳細な説明】
【０００１】
【発明の属する技術分野】
本発明は、複数系統の負荷回路のオンオフを制御可能な負荷制御装置に関するものである。
【０００２】
【従来の技術】
一般に、オフィスや店舗のように多数の照明負荷が設置される場所では、施工時において照明負荷の結線を忘れること（つまり、未結線）があるから、施工後にすべての照明負荷を点灯させる操作を行って未結線の有無を確認しているのが現状である。
【０００３】
一方、多数の照明負荷が設置される場合には、使用上の利便性を考慮して照明負荷を複数系統の負荷回路にグループ分けし、負荷回路ごとに照明負荷をオンオフ（点灯・消灯）させるように配線関係を設計することが多い。そこで、複数の負荷回路を一括して接続することが可能な負荷制御装置を用い、１台の負荷制御装置によって各負荷回路ごとにオンオフを制御することが考えられている。たとえば、図５に示すように、１台の負荷制御装置１に４経路の負荷回路Ｃ１〜Ｃ４を接続可能とするように４個の負荷端子Ｔ１〜Ｔ４を設け、各負荷端子Ｔ１〜Ｔ４ごとにオンオフの指示を可能とした負荷制御装置１が提供されている。いま、負荷として１６個の照明負荷Ｌ１１〜Ｌ１４，Ｌ２１〜Ｌ２２，Ｌ３１〜Ｌ３４，Ｌ４１〜Ｌ４４を想定し、正しく結線した場合には、照明負荷Ｌ１１〜Ｌ１４を含む負荷回路Ｃ１が負荷端子Ｔ１に接続され、照明負荷Ｌ２１〜Ｌ２２を含む負荷回路Ｃ２が負荷端子Ｔ２に接続され、照明負荷Ｌ３１〜Ｌ３４を含む負荷回路Ｃ３が負荷端子Ｔ３に接続され、照明負荷Ｌ４１〜Ｌ４４を含む負荷回路Ｃ４が負荷端子Ｔ４に接続されるものとする。つまり、負荷回路Ｃ１〜Ｃ４の各系統ごとに４個ずつの照明負荷Ｌ１１〜Ｌ１４，Ｌ２１〜Ｌ２２，Ｌ３１〜Ｌ３４，Ｌ４１〜Ｌ４４を一括してオンオフさせることが可能になっているものとする。
【０００４】
このような構成の負荷制御装置１には、上述のような未結線の有無を確認するために、全系統の負荷回路Ｃ１〜Ｃ４を一斉にオンにするための操作スイッチが付設されている。つまり、操作スイッチを操作すれば全系統の負荷回路Ｃ１〜Ｃ４がオンになるから、照明負荷Ｌ１１〜Ｌ１４，Ｌ２１〜Ｌ２２，Ｌ３１〜Ｌ３４，Ｌ４１〜Ｌ４４のうちのいずれかが消灯していれば、その照明負荷Ｌ１１〜Ｌ１４，Ｌ２１〜Ｌ２２，Ｌ３１〜Ｌ３４，Ｌ４１〜Ｌ４４は、負荷制御装置１に結線されていないとみなすことができるのである。
【０００５】
【発明が解決しようとする課題】
ところで、施工時においては、図６のように各負荷端子Ｔ１〜Ｔ４に負荷回路Ｃ１〜Ｃ４を誤接続することや、図７のように他の負荷回路Ｃ１〜Ｃ４に含めるべき照明負荷Ｌ１１〜Ｌ１４，Ｌ２１〜Ｌ２２，Ｌ３１〜Ｌ３４，Ｌ４１〜Ｌ４４を誤接続することがある。図６に示す例では、負荷回路Ｃ１を負荷端子Ｔ１に接続し負荷回路Ｃ３を負荷端子Ｔ３に接続するべきであるところ、負荷回路Ｃ１を負荷端子Ｔ３に接続し負荷回路Ｃ３を負荷端子Ｔ１に接続している。また、図７に示す例では、負荷回路Ｃ２に含めるべき照明負荷Ｌ２１，Ｌ２２を誤って負荷回路Ｃ１として接続している。
【０００６】
このような誤結線は、負荷回路Ｃ１〜Ｃ４を一斉にオンにするだけでは発見することができない。つまり、図６あるいは図７に示す結線関係では誤結線でるにもかかわらず、負荷制御装置１に接続される負荷回路Ｃ１〜Ｃ４を一斉にオンにすると、いずれの場合も全系統の照明負荷Ｌ１１〜Ｌ１４，Ｌ２１〜Ｌ２２，Ｌ３１〜Ｌ３４，Ｌ４１〜Ｌ４４が点灯するから、未結線がなく正常に施工されたと判断されることになる。
【０００７】
また、複数台の負荷制御装置１を共通の信号線に接続するとともに各負荷制御装置１にアドレスを付与しておき、アドレスを用いて負荷制御装置１を個別に指定し各負荷回路Ｃ１〜Ｃ４のオンオフを外部から指示するような構成では、すべての負荷制御装置１が信号線に接続された後でなければ誤結線の有無を検証することができない。その結果、アドレスの設定や対応付けに関する誤りと、負荷制御装置１に対する負荷回路Ｃ１〜Ｃ４の誤結線とを分離して検証することができず、問題の発生時に問題解決に長時間を要するという問題が生じる。
【０００８】
本発明は上記事由に鑑みて為されたものであり、その目的は、複数の負荷回路を接続することが可能であって、しかも各負荷回路ごとに誤結線の有無を検証することが可能な負荷制御装置を提供することにある。
【０００９】
【課題を解決するための手段】
請求項１の発明は、複数系統の負荷回路のオンオフを系統ごとに制御する負荷切換手段と、操作入力を発生させる操作手段と、操作入力を受けて負荷切換手段においてオンにすべき負荷回路の系統を指示する制御処理部とを備え、制御処理部が、前記操作入力の発生毎に負荷回路のオンオフの組合せである制御パターンを変化させるように負荷切換手段に指示するとともに、前記操作入力により選択可能な制御パターンの種類が負荷回路の系統数以上であり、前記制御処理部により選択可能な制御パターンには、前記操作入力の発生毎に前記負荷回路のオンオフが１系統ずつ変化する制御パターンが前記負荷回路の系統数分含まれていることを特徴とする。
【００１０】
請求項２の発明は、請求項１の発明において、前記操作手段が１個の操作スイッチを備え、操作スイッチの操作毎に前記操作入力が発生することを特徴とする。
【００１２】
請求項３の発明は、請求項１の発明において、前記制御処理部が、前記操作入力の発生により全系統の負荷回路をオンにするように負荷切換手段に指示し、その後、操作入力の発生毎に各負荷回路を各１系統のみ順にオンにするように負荷切換手段に指示することを、操作入力の発生毎に循環的に繰り返すことを特徴とする。
【００１３】
請求項４の発明は、請求項１の発明において、前記制御処理部が、前記操作入力の発生により全系統の負荷回路をオンにするように負荷切換手段に指示し、次の操作入力の発生により全系統の負荷回路をオフにするように負荷切換手段に指示し、その後、操作入力の発生毎に各負荷回路を１系統ずつ順にオンにするように負荷切換手段に指示することを、操作入力の発生毎に循環的に繰り返すことを特徴とする。
【００１４】
請求項５の発明は、請求項１の発明において、前記制御処理部が、前記操作入力の発生により全系統の負荷回路をオンにするように負荷切換手段に指示し、その後、操作入力の発生毎に各負荷回路を１系統ずつ順にオフにするように負荷切換手段に指示することを、操作入力の発生毎に循環的に繰り返すことを特徴とする。
【００１５】
請求項６の発明は、請求項１ないし請求項５の発明において、前記制御処理部では前記操作入力の発生の時間間隔に閾値が設定され、操作入力の発生の時間間隔が前記閾値に達すると各負荷回路があらかじめ設定されているオンオフの組合せになるように前記負荷切換手段に指示することを特徴とする。
【００１６】
請求項７の発明は、請求項１ないし請求項６の発明において、全系統の負荷回路をオフにするように前記制御処理部に指示するオフスイッチを設け、前記制御処理部ではオフスイッチの操作後に最初に前記操作入力が発生したときの制御パターンが規定されていることを特徴とする。
【００１７】
【発明の実施の形態】
（第１の実施の形態）
本実施形態では負荷として各系統４個ずつで４系統とした合計１６個の照明負荷Ｌ１１〜Ｌ１４，Ｌ２１〜Ｌ２２，Ｌ３１〜Ｌ３４，Ｌ４１〜Ｌ４４（図３参照）を例示するが、負荷の種類や個数はこれに限定されるものではない。本実施形態の負荷制御装置１は、図１に示すように、４系統の負荷回路Ｃ１〜Ｃ４を接続することができるように、４個の負荷端子Ｔ１〜Ｔ４を備え、さらに信号線Ｌｓに接続されてネットワーク化が可能になっている。つまり、信号線Ｌｓを通して通信することによって外部から各負荷回路Ｃ１〜Ｃ４のオンオフの指示を受けたり、各負荷回路Ｃ１〜Ｃ４のオンオフの状態を外部に報知したりすることが可能になっている。したがって、負荷制御装置１には固有のアドレスが設定される。この種の技術は種々知られているが、たとえばエシェロン社が提唱しているＬｏｎＷｏｒｋｓ（商品名）の技術により容易に実現することができる。
【００１８】
負荷制御装置１には、マイコンからなる制御処理部１０が設けられ、制御処理部１０では信号線Ｌｓを通して外部からの指示を受けると、各負荷端子Ｔ１〜Ｔ４に接続された負荷制御手段としてのリレーＲｙ１〜Ｒｙ４を各別に制御して、各負荷回路Ｃ１〜Ｃ４をオンオフさせる。負荷制御装置１には２個の電源端子Ｔ５，Ｔ６が設けられるとともに、各リレーＲｙ１〜Ｒｙ４にはそれぞれ２個ずつの接点ｒ１１，ｒ１２，ｒ２１，ｒ２２，ｒ３１，ｒ３２，ｒ４１，ｒ４２が設けられ、電源端子Ｔ５，Ｔ６の２線と各負荷回路Ｃ１〜Ｃ４の２線との間に、それぞれ接点ｒ１１，ｒ１２，ｒ２１，ｒ２２，ｒ３１，ｒ３２，ｒ４１，ｒ４２が挿入される。つまり、接点ｒ１１，ｒ１２，ｒ２１，ｒ２２，ｒ３１，ｒ３２，ｒ４１，ｒ４２は、いわゆる両切りが可能な形で各負荷回路Ｃ１〜Ｃ４と電源との間に挿入されることになる。電源端子Ｔ５，Ｔ６は互いに接続されており、一方に電源が接続され、他方は電源送り端子として機能する。
【００１９】
制御処理部１０は、リレーＲｙ１〜Ｒｙ４の接点ｒ１１，ｒ１２，ｒ２１，ｒ２２，ｒ３１，ｒ３２，ｒ４１，ｒ４２をオンに制御する際に、発光ダイオードからなる状態表示灯１２を点灯させる。状態表示灯１２は各負荷回路Ｃ１〜Ｃ４ごとのオンオフが表示可能となるように構成されている。さらに、制御処理部１０には押操作中にのみオンになるモメンタリ型の押釦スイッチからなる操作手段としての１個の操作スイッチ１１が接続されており、制御処理部１０では操作スイッチ１１の押操作に伴う操作スイッチ１１のオンを操作入力とし、操作入力毎にリレーＲｙ１〜Ｒｙ４の接点ｒ１１，ｒ１２，ｒ２１，ｒ２２，ｒ３１，ｒ３２，ｒ４１，ｒ４２のオンオフの状態、つまり負荷回路Ｃ１〜Ｃ４のオンオフの状態を変化させる。制御処理部１０ではリレーＲｙ１〜Ｒｙ４の動作状態を監視しており、指示に対してリレーＲｙ１〜Ｒｙ４が所期の動作を行わないときには、リレーＲｙ１〜Ｒｙ４に対してオンオフの状態を変化させるように再度指示を与える。
【００２０】
以下に、操作スイッチ１１の操作と負荷回路Ｃ１〜Ｃ４のオンオフとの関係について説明する。負荷制御装置１の電源が投入されると、図２に示すように、負荷回路Ｃ１〜Ｃ４の制御パターン（点灯パターン）を示す変数Ｎｏ．を「１」に設定するように初期化を行う（Ｓ１）。電源投入後に操作スイッチ１１が操作されるまでは待機しており（Ｓ２，Ｓ３）、操作スイッチ１１が１回操作されると、その時点での変数Ｎｏ．の値を読み取る（Ｓ４）。各変数Ｎｏ．は上述のように負荷回路Ｃ１〜Ｃ４の制御パターンに対応付けられており、本実施形態では、変数Ｎｏ．の値域は１〜５の整数値であって、変数Ｎｏ．の値に応じて図３（ａ）〜（ｅ）に示す制御パターンになる。図３に示す照明負荷Ｌ１１〜Ｌ１４，Ｌ２１〜Ｌ２２，Ｌ３１〜Ｌ３４，Ｌ４１〜Ｌ４４のうち、斜線を付与したものは点灯状態を示し、斜線を付与していないものは消灯状態を示す。すなわち、変数Ｎｏ．の値が１であると図３（ａ）のように全系統の負荷回路Ｃ１〜Ｃ４がオン、値が２であると図３（ｂ）のように負荷回路Ｃ１がオン、値が３であると図３（ｃ）のように負荷回路Ｃ２がオン、値が４であると図３（ｄ）のように負荷回路Ｃ３がオン、値が５であると図３（ｅ）のように負荷回路Ｃ４がオンになる。
【００２１】
したがって、図２のステップＳ４において読み取った変数Ｎｏ．の値に応じてステップＳ５〜Ｓ９のようにオンになる負荷回路Ｃ１〜Ｃ４が選択される。操作スイッチ１１が押操作されて負荷回路Ｃ１〜Ｃ４の制御パターンが選択されると、変数Ｎｏ．がインクリメントされ（つまり、変数Ｎｏ．に１が加算され）、インクリメント後の値が６になったときには、変数Ｎｏ．の値は１になる。つまり、操作スイッチ１１の押操作毎に１〜５の範囲で変数Ｎｏ．の値が循環的に設定され、結果的に負荷回路Ｃ１〜Ｃ４の制御パターンが循環的に変化する。
【００２２】
上述したように、１個の操作スイッチ１１を押操作すれば、押操作の回数によって、全負荷回路Ｃ１〜Ｃ４の照明負荷Ｌ１１〜Ｌ１４，Ｌ２１〜Ｌ２２，Ｌ３１〜Ｌ３４，Ｌ４１〜Ｌ４４が点灯、負荷回路Ｃ１の照明負荷Ｌ１１〜Ｌ１４が点灯、負荷回路Ｃ２の照明負荷Ｌ２１〜Ｌ２４が点灯、負荷回路Ｃ３の照明負荷Ｌ３１〜Ｌ３４が点灯、負荷回路Ｃ４の照明負荷Ｌ４１〜Ｌ４４が点灯という順序で循環するから、操作スイッチ１１の操作回数と点灯している照明負荷Ｌ１１〜Ｌ１４，Ｌ２１〜Ｌ２２，Ｌ３１〜Ｌ３４，Ｌ４１〜Ｌ４４との関係が正しいか否かを判断すれば、未結線や誤結線の有無を容易に知ることができる。つまり、全系統の負荷回路Ｃ１〜Ｃ４のオンが指示されているときに点灯していない照明負荷Ｌ１１〜Ｌ１４，Ｌ２１〜Ｌ２２，Ｌ３１〜Ｌ３４，Ｌ４１〜Ｌ４４が存在すれば故障ないし未結線の可能性があり、各負荷回路Ｃ１〜Ｃ４ごとのオンオフによって各負荷回路Ｃ１〜Ｃ４に対する照明負荷Ｌ１１〜Ｌ１４，Ｌ２１〜Ｌ２２，Ｌ３１〜Ｌ３４，Ｌ４１〜Ｌ４４の誤結線の有無を判断することが可能になる。
【００２３】
本実施形態では、操作スイッチ１１の押操作によってどの制御パターンが選択されている状態であっても、ステップＳ２の通常処理に戻るから、操作スイッチ１１によってどの制御パターンが選択されている状態であっても、とくに動作モードの切換などを行うことなく通常の動作が可能である。つまり、信号線Ｌｓを通して外部から伝送される指示に応じて負荷回路Ｃ１〜Ｃ４を制御することができる。
【００２４】
（第２の実施の形態）
第１の実施の形態では、操作スイッチ１１の操作毎に負荷回路Ｃ１〜Ｃ４の制御パターンを循環的に切り換えるのみであったから、たとえば操作スイッチ１１の操作によって負荷回路Ｃ２をオンにする制御パターンが選択された状態で、通常処理に移行したときに、次に操作スイッチ１１を押操作したときには負荷回路Ｃ３がオンになる制御パターンが選択されることになる。このような処理でも、制御パターンを一巡させれば未結線および誤結線の有無を確認することが可能ではあるが、操作スイッチ１１の押操作によって未結線や誤結線の有無を確認する作業においては、最初に全系統の負荷回路Ｃ１〜Ｃ４がオンになる状態が選択されるようにすれば、未結線の有無を確認してから誤結線の有無の確認作業に移行することができ、使用感が向上することになる。
【００２５】
そこで、本実施形態では操作スイッチ１１が操作されない状態、つまり制御処理部１１への操作入力が発生しない状態が所定時間継続すると変数Ｎｏ．の値が１に設定されることによって、所定時間が経過した後に操作スイッチ１１を押操作したときには全系統の負荷回路Ｃ１〜Ｃ４が点灯する状態から開始されるようにしている。さらに、本実施形態では操作スイッチのほかにオフスイッチ（図示せず）を負荷制御装置１に設けてあり、オフスイッチを操作した時点で変数Ｎｏ．の値が１になるように構成してある。
【００２６】
上述した動作をまとめると、図４のようになる。すなわち、負荷制御装置１の電源が投入されると、制御パターンの種別を表す変数Ｎｏ．の値が１に設定され（Ｓ１）、通常処理に移行する（Ｓ２）。ここで、操作スイッチ１１の押操作による操作入力の発生の時間間隔が判定され、操作入力が前に発生してからあらかじめ設定した閾値に達すると（Ｓ３）、変数Ｎｏ．の値が１に設定される（Ｓ６）。一方、ステップＳ３において閾値に達していないときには、オフスイッチの操作の有無が確認され（Ｓ４）、オフスイッチが操作されると全系統の負荷回路Ｃ１〜Ｃ４をオフにし（Ｓ５）、その後、変数Ｎｏ．の値を１に設定する（Ｓ６）。したがって、オフスイッチの操作後に操作スイッチ１１を押操作すれば、全系統の負荷回路Ｃ１〜Ｃ４がオンになる制御パターンが選択され、以後は、第１の実施の形態と同様に操作スイッチ１１の押操作毎に制御パターンが循環的に変化する（Ｓ７〜Ｓ１４）。なお、図４におけるステップＳ７〜Ｓ１４は、第１の実施の形態の動作を説明する図２におけるステップＳ３〜Ｓ１０に対応する。他の構成および動作は第１の実施の形態と同様である。
【００２７】
ところで、第１および第２の実施の形態では、操作スイッチ１１により選択される制御パターンおよび制御パターンの選択順序は、マイコンからなる制御処理部１０に組み込まれるプログラムによって実現されている。したがって、プログラムを書換可能とすることによって、制御パターンや制御パターンの選択順序を変更することが可能である。
【００２８】
制御パターンおよび制御パターンの選択順序の他の例として、操作スイッチ１１の押操作によって、全系統の負荷回路Ｃ１〜Ｃ４がオンになる状態、全系統の負荷回路Ｃ１〜Ｃ４がオフになる状態、各系統の負荷回路Ｃ１〜Ｃ４を１系統ずつ選択的にオンにする状態を循環させることが可能である。たとえば、図３（ａ）の状態の次に全系統の負荷回路Ｃ１〜Ｃ４がオフになる状態とし、その後、図３（ｂ）〜（ｅ）の状態を順次選択するのである。
【００２９】
あるいはまた、操作スイッチ１１の押操作によって、全系統の負荷回路Ｃ１〜Ｃ４がオンになる状態、全系統の負荷回路Ｃ１〜Ｃ４がオフになる状態、各系統の負荷回路Ｃ１〜Ｃ４を順次オンにしていく状態を循環させることが可能である。たとえば、図３（ａ）の状態の次に全系統の負荷回路Ｃ１〜Ｃ４がオフになる状態とし、負荷回路Ｃ１のみをオンにする状態、負荷回路Ｃ１，Ｃ２をオンにする状態、負荷回路Ｃ１〜Ｃ３をオンにする状態を順に選択し、次に操作スイッチ１１を押操作すれば全系統の負荷回路Ｃ１〜Ｃ４をオンにする図３（ａ）の状態に戻るのである。
【００３０】
他の例として、電源投入後の最初の操作スイッチ１１の押操作では全系統の負荷Ｃ１〜Ｃ４をオンにし、その後、操作スイッチ１１の押操作毎に負荷回路Ｃ１〜Ｃ４を１系統ずつオフにし、全系統の負荷回路Ｃ１〜Ｃ４をオフにした後に操作スイッチ１１が押操作されると全系統の負荷Ｃ１〜Ｃ４をオンにするという動作を採用することも可能である。
【００３１】
第２の実施の形態では、オフスイッチの操作後に操作スイッチ１１を最初に押操作したときに全系統の負荷回路Ｃ１〜Ｃ４がオンになる動作を採用しているが、操作スイッチ１１の最初の操作時の制御パターンは適宜に選択することが可能である。
【００３２】
なお、全系統の負荷回路Ｃ１〜Ｃ４をオフ（消灯）にしてから、操作スイッチ１１の押操作毎に１系統ずつオンにしていき、最終的に全系統の負荷回路Ｃ１〜Ｃ４をオン（全部点灯）にする制御を操作スイッチ１１の押操作回数に応じて循環的に繰り返すようにしてもよい。
【００３３】
上述の実施形態では操作入力を１個の操作スイッチ１１の押操作によって発生させているが、負荷回路Ｃ１〜Ｃ４の数に相当する個数の操作スイッチ１１を設けてもよく、あるいはまた操作スイッチ１１を用いずに他の手段によって操作入力を発生させてもよい。たとえば、負荷制御装置１には操作スイッチ１１を設けず、別途の操作スイッチを着脱可能に接続できるコネクタを負荷制御装置１に設けておき、必要に応じて操作スイッチをコネクタに設けるようにしてもよい。また、上述のように負荷制御装置１を信号線Ｌｓに接続している場合には、信号線Ｌｓを通して制御処理部１０に操作入力を与えるように構成することも可能である。
【００３４】
【発明の効果】
請求項１の発明の構成によれば、制御パターンの種類を負荷回路の系統数以上とすることによって、すべての負荷回路について誤結線の有無を確認することが可能になるという利点がある。また、ネットワークの端末として負荷制御装置が用いられている場合であれば、ネットワークが完成していない状態であっても負荷制御装置に負荷が接続された段階で、負荷制御装置と負荷との誤接続の有無を確認することが可能になり、ネットワーク側の誤設定と負荷制御装置と負荷との間の誤接続とを分離して検査することが可能になる。
しかも、オンオフを１系統ずつ変化させる制御パターンを含むことによって負荷回路の各系統別の誤結線の有無の確認が容易になる。
【００３５】
請求項２の発明は、請求項１の発明において、前記操作手段が１個の操作スイッチを備え、操作スイッチの操作毎に前記操作入力が発生するので、操作スイッチの操作のみで誤結線の有無を確認することができ、結果的に複数個の操作スイッチを設ける場合に比較すれば操作スイッチの占有スペースを小さくすることができ、製品の小型化につながる。
【００３７】
請求項３の発明の構成によれば、全系統の負荷回路をオンにすることによって未結線の有無を確認することができ、また負荷回路を１系統ずつオンにすることによって各系統ごとに誤結線の有無を確認することができる。
【００３８】
請求項４の発明の構成によれば、全系統の負荷回路をオンにすることによって未結線の有無を確認することができ、また負荷回路を１系統ずつオンにすることによって各系統ごとに誤結線の有無を確認することができる。しかも、全系統の負荷回路をオフにする状態も選択可能であるから、未結線および誤結線の有無の確認作業を終了した後には全負荷をオフにすることができ作業性がよいという利点がある。
【００３９】
請求項５の発明の構成によれば、全系統の負荷回路をオンにすることによって未結線の有無を確認することができ、また負荷回路を１系統ずつオフにすることによって各系統ごとに誤結線の有無を確認することができる。しかも、請求項４の発明と同様に、全系統の負荷回路をオフにする状態を選択することができるから、未結線および誤結線の有無の確認作業を終了した後には全負荷をオフにすることができ作業性がよいという利点がある上に、全系統の負荷回路をオフにする制御パターンを含みながらも請求項４の発明の制御パターンよりもパターン数を少なくすることが可能になる。
【００４０】
請求項６の発明の構成によれば、誤結線の有無を確認する作業が中断した場合などに、操作入力の発生毎に決まった制御パターンが選択されることで、作業者の混乱を防止することができる。
【００４１】
請求項７の発明の構成によれば、オフスイッチを設けていることによって全系統の負荷回路をオフにする状態を選択することができる。しかも、オフスイッチの操作後に操作入力が最初に発生したときには決まった制御パターンが選択されることで、作業者の混乱を防止することができる。
【図面の簡単な説明】
【図１】本発明の第１の実施の形態を示すブロック図である。
【図２】同上の動作説明図である。
【図３】同上の動作説明図である。
【図４】本発明の第２の実施の形態の動作説明図である。
【図５】従来例における結線例を示すブロック図である。
【図６】従来例における誤結線例を示すブロック図である。
【図７】従来例における他の誤結線例を示すブロック図である。
【符号の説明】
１０  制御処理部
１１  操作スイッチ
Ｃ１〜Ｃ４  負荷回路
Ｒｙ１〜Ｒｙ４  リレー
【図１】
0004110755.tif 000002
【図２】
0004110755.tif 000003
【図３】
0004110755.tif 000004
【図４】
0004110755.tif 000005
【図５】
0004110755.tif 000006
【図６】
0004110755.tif 000007
【図７】
0004110755.tif 000008